(57)【特許請求の範囲】
【請求項１】
第一の情報と、該第一の情報と組み合わせて利用する第二の情報との組み合わせによりなる全体情報に対して、その第一の情報と、該第一の情報を第一の暗号化鍵により暗号化した場合の第一の暗号化情報を復号するための第一の復号化鍵及び第二の情報とを含む第三の情報について、前記第一の暗号化情報と、前記第三の情報を第二の暗号化鍵により暗号化した第二の暗号化情報とを含む暗号化全体情報を生成し、前記第一の復号化鍵または前記第二の暗号化情報を復号する第二の復号化鍵と、前記暗号化全体情報とを通信網を介して提供する情報提供手段と、
情報提供手段から提供される暗号化全体情報から、少なくとも前記第一の情報を復号し再生する情報再生手段とからなる情報配布装置において、
前記情報提供手段は前記情報再生手段からの前記第二の復号化鍵の供給要求があった場合、前記情報再生手段に対して前記第二の復号化鍵を通信網を介して供給するものとし、
前記情報再生手段は、前記情報提供手段から供給された前記第二の復号化鍵を用いて暗号化全体情報に含まれる前記第二の暗号化情報について復号することにより得られた前記第三の情報に含まれる前記第二の情報と、該第三の情報に含まれる前記第一の復号化鍵を用いて該暗号化全体情報に含まれる前記第一の暗号化情報について復号することにより得られた前記第一の情報と、を組み合わせた全体情報を再生することを特徴とする情報配布装置。
【請求項２】
前記第一の情報は、配布情報の概要を示す情報を含み、前記第一の情報と組み合わせて利用する第二の情報は、前記配布情報の概要と組み合わせてより詳細な情報となる詳細差分情報を含むことを特徴とする請求項１記載の情報配布装置。
【請求項３】
前記第一の情報は、配布情報に対応した低解像度の画像情報を含み、前記第一の情報と組み合わせて利用する第二の情報は、前記配布情報に対応した低解像度の画像の解像度を改善するための情報を含むことを特徴とする請求項１記載の情報配布装置。
【発明の詳細な説明】
【０００１】
【産業上の利用分野】
本発明は情報配布装置及び方法に関し、特に情報提供者が配布する情報全体が複数のグループの情報から構成されるような情報配布装置及び方法に関する。
【０００２】
【従来の技術】
近年の高度情報社会の発展、さらには通信技術の発達に伴い、衛星の通信回線を用いた有料の衛星放送サービス等のように、情報提供者が情報を通信媒体を通じてユーザに提供し、その情報の提供に対して課金するサービスが実際に運用される時代となった。このようなサービスにおいては、情報提供者が提供する情報に対し暗号化等の秘匿処理を施し、ユーザがこれらの情報の提供を受けることを希望する場合には、情報提供者に対価を支払い、秘匿情報を解読するのに必要な鍵を受け取ることにより情報を入手することが可能となる。
【０００３】
このような情報配布システムの例としては、有料の衛星放送が挙げられ、この動作の詳細について図８のブロック図を用いて説明する。情報提供者である放送局１２では、スクランブラ１２１により、送信する映像情報にスクランブルをかけ、送信器１２２により衛星回線１１を通して受信者に送信する。スクランブルの際用いる鍵は定期的に変更し、変更の度にデスクランブルのための新たな鍵を衛星回線１１を通して受信者に送信する。各受信装置１３では、定期的に送信されてくるデスクランブルのための鍵を受信した後、受信器１３１により受信した映像情報を、デスクランブラ１３２により受信者に利用可能な情報に変換する。
【０００４】
このような現行の衛星放送サービスは、情報提供者が受信者に対して予めデスクランブラを含む装置を提供し、提供する複数の番組全体に対して１つの復号鍵を供給することにより、秘匿情報を復号可能な情報を提供するものであるため、番組毎に課金処理を行なうといった、よりきめ細かなサービスを行なうことはできない。仮に複数の番組毎に課金処理するサービスを行なうためには、例えば、各番組に固有の復号鍵を、各番組毎に受信者に提供しなければならない。これでは情報提供者は番組毎に複数の鍵を送信しなければならず、受信者は番組毎に固有の鍵を受信して情報の提供を受けなければならないという負担を強いることとなり、鍵の管理及び情報提供の制御が困難となるという問題点があった。
【０００５】
また同一の番組に対して、より高品質の画像、音声情報や、副音声、字幕放送等の付随的な情報に対して課金処理を行なう場合にも、これらの情報に対する復号鍵の管理、情報提供の制御が複雑となるという問題もある。
【０００６】
【発明が解決しようとする課題】
以上述べたように、従来からある有料の衛星放送サービスでは、サービス全体として１つの復号鍵を提供するため、番組毎に課金処理を行なうことが困難であり、番組毎に復号鍵を提供して課金処理をしようとすると、番組の数だけ復号鍵を送受信することが必要となり、鍵の管理、情報提供の制御が困難となるという問題があった。また一つの番組に対する、より高品質の情報、付随的な情報に対して鍵の管理、情報提供の制御が複雑化するという問題もあった。
【０００７】
本発明においては、情報提供者が、複数のグループから構成される情報に対して、それぞれ異なる秘匿管理を行なうことが可能な情報配布装置及び方法を提供することを目的とする。
【０００８】
【課題を解決するための手段】
上記の目的を達成するために、第一の発明の情報配布装置は、第一の情報と、該第一の情報と組み合わせて利用する第二の情報との組み合わせによりなる全体情報に対して、その第一の情報と、該第一の情報を第一の暗号化鍵により暗号化した場合の第一の暗号化情報を復号するための第一の復号化鍵及び第二の情報とを含む第三の情報について、前記第一の暗号化情報と、前記第三の情報を第二の暗号化鍵により暗号化した第二の暗号化情報とを含む暗号化全体情報を生成し、前記第一の復号化鍵または前記第二の暗号化情報を復号する第二の復号化鍵と、前記暗号化全体情報とを通信網を介して提供する情報提供手段と、
情報提供手段から提供される暗号化全体情報から、少なくとも前記第一の情報を復号し再生する情報再生手段とからなる情報配布装置において、
前記情報提供手段は前記情報再生手段からの前記第二の復号化鍵の供給要求があった場合、前記情報再生手段に対して前記第二の復号化鍵を通信網を介して供給するものとし、
前記情報再生手段は、前記情報提供手段から供給された前記第二の復号化鍵を用いて暗号化全体情報に含まれる前記第二の暗号化情報について復号することにより得られた前記第三の情報に含まれる前記第二の情報と、該第三の情報に含まれる前記第一の復号化鍵を用いて該暗号化全体情報に含まれる前記第一の暗号化情報について復号することにより得られた前記第一の情報と、を組み合わせた全体情報を再生することを特徴とする。
【０００９】
また第二の発明は、情報配布装置において、前記第一の情報が、配布情報の概
要を示す情報を含み、前記第一の情報と組み合わせて利用する第二の情報が、前記配布情報の概要と組み合わせてより詳細な情報となる詳細差分情報を含むことを特徴とする。
【００１０】
また第三の発明は、情報配布装置において、前記第一の情報が、配布情報に対応した低解像度の画像情報を含み、前記第一の情報と組み合わせて利用する第二の情報が、前記配布情報に対応した低解像度の画像の解像度を改善するための情報を含むことを特徴とする。
【００１１】
また第四の発明の情報配布方法は、第一の情報と、該第一の情報と組み合わせて利用する第二の情報との組み合わせによりなる全体情報に対して、
情報を提供する側は、その第一の情報と、該第一の情報を第一の暗号化鍵により暗号化した場合の第一の暗号化情報を復号するための第一の復号化鍵及び第二の情報とを含む第三の情報について、前記第一の暗号化情報と、前記第三の情報を第二の暗号化鍵により暗号化した第二の暗号化情報とを含む暗号化全体情報を生成し、前記第一の復号化鍵または前記第二の暗号化情報を復号する第二の復号化鍵と、前記暗号化全体情報とを通信網を介して提供し、
情報を受信する側は、提供される暗号化全体情報から、少なくとも前記第一の情報を復号し再生する情報配布方法において、
情報を提供する側は、情報を再生する側からの前記第二の復号化鍵の供給要求があった場合、前記情報を再生する側に対して前記第二の復号化鍵を通信網を介して供給し、
前記情報を再生する側は、前記情報を提供する側から供給された前記第二の復号化鍵を用いて暗号化全体情報に含まれる前記第二の暗号化情報について復号し前記第三の情報を得ると共に、得られた第三の情報に含まれる前記第一の復号化鍵を用いて該暗号化全体情報に含まれる前記第一の暗号化情報について復号し、該第一の暗号化情報を復号して得られた第一の情報と該第三の情報に含まれる前記第二の情報とを組み合わせて再生することを特徴とする。
【００１２】
【作用】
本発明の情報配布装置及び方法によれば、情報提供者は、情報を複数のグループに分割して、それぞれのグループごとに異なる暗号鍵で暗号化処理して情報を提供し、受信者は受信された暗号化情報のうち、第一の復号鍵で復号可能な第一の情報を再生する。さらに受信者は必要に応じて、前記第一の情報に付随する第二の情報を復号するため、第二の復号化鍵の供給を要求するものとし、その第二の復号化鍵を用いて復号化された第二の情報と前記第一の情報とを組み合わせることにより全体情報を再生する。
【００１３】
本発明によれば、それぞれの情報毎に秘匿管理を行なうことが可能となり、受信者に対して、受信者の要求した情報のみを提供することが可能となる。また、情報提供者は、受信者の得た情報についてのみ、必要十分な料金を課金することが可能となる。
【００１４】
【実施例】
以下に本発明の実施例を説明する。
第一の発明の第一の実施例に係わる情報配布システムの構成を図２に示すブロック図を用いて説明する。本実施例の情報配布システムにおいては、音声または音楽等を含む音情報を提供する情報提供者１６が、階層符号化され少なくとも一つ以上の階層の音情報により記述された全体情報１７０を、少なくとも一つ以上蓄積してある配布情報データベース１７と、音情報を暗号鍵により暗号化する暗号化装置１６３と、音情報及び復号鍵を送信する送信器１６２と、情報を受信する受信器１６１とを含んで構成されている。配布情報データベース１７に蓄積されている全体情報１７０において、図４のブロック図に示すように、再上位の階層には概要情報として、最低音質の音を合成するための最低音質音情報１８０が記述されている。この一つ下の階層には詳細差分情報として、最低音質音情報１８０とこれより一段階高音質の音の差分情報である一次差分音情報１８１が記述されている。また、さらにこの一つ下の階層には詳細差分情報として、最低音質音情報１８０と一次差分音情報１８１とにより合成される音と、これより一段階高音質の音との差分情報である二次差分音情報１８２が記述されている。このように、全体情報１７０の各階層の音情報は、ある音質の音を合成するための情報と、これより一段階高音質の音を合成するための情報との差分情報が記述されており、階層の深さは、必要に応じて変えることができる。以上のようにして、全体情報１７０は、概要情報である最低音質音情報１８０と、詳細差分情報である一次差分音情報１８１に始まる少なくとも一つ以上の差分音情報とを含んで構成されている。
【００１５】
次に、以上のように構成された情報配布システムの動作について説明する。情報提供者１６は、情報端末装置１４から要求のあった全体情報１７０を配布情報データベース１７から取り出し、暗号化装置１６３は最低音情報１８０と一次差分音情報１８１に始まるそれぞれの階層の差分音情報に対して、異なる暗号化鍵を用いて暗号化し、送信器１６２は暗号化全体情報と、最低音質音情報１８０を復号化するための復号鍵とを通信網１５を通して情報端末装置１４へ送信する。ここで情報提供者は、該暗号化全体情報を、記憶媒体に記録して情報端末装置に提供することも可能である。
【００１６】
情報提供者１６が送信した情報を受信器１４１により受信した情報端末装置１４は、受信した復号鍵を用いて、復号化装置１４３により最低音質音情報１８０を復号し、出力装置１４４はその音を出力する。もし、情報端末装置１４のユーザがより高音質の音を要求する場合は、その要求を送信器１４２により情報提供者１６に送信する。受信器１６１により要求を受信した情報提供者１６は、一次差分音情報１８１を復号化するための復号鍵を、送信器１６２により送信する。情報端末装置１４は、この復号鍵を受信器１４１により受信し、復号化装置１４３により一次差分音情報１８１の復号化を行ない、出力装置１４４は最低音質音情報１８０と一次差分音情報１８１とから一段階高音質の音を出力する。もし、情報端末装置１４のユーザがさらに高音質の音を要求する際は、同様の手順により、ユーザは要求する音質の音を得ることが可能である。
【００１７】
以上の動作により、情報端末装置１４のユーザは、要求する必要十分な音質の音を得ることが可能である。また、情報提供者１６は、要求された音質の音を復号するための復号鍵に対して課金をすることにより、必要十分な課金を行なうことが可能である。
【００１８】
次に第一の発明の第二の実施例に係わる情報配布システムの構成に関して図２に示すブロック図を用いて説明する。本実施例の情報配布システムは、マルチメディア情報を提供する少なくとも一つ以上の情報提供者１６と、マルチメディア情報を配送する通信網１５と、マルチメディア情報を受信する少なくとも一つ以上の情報端末装置１４とを含んで構成されている。
【００１９】
情報端末装置１４は、情報を受信する受信器１４１と、情報を送信する送信器１４２と、情報をユーザに伝達するための出力装置１４４と、暗号化された情報を復号鍵により復号する復号化装置１４３とを含んで構成されている。また情報提供者１６は、マルチメディア情報を蓄積してある配布情報データベース１７と、マルチメディア情報を暗号鍵により暗号化する暗号化装置１６３と、マルチメディア情報及び復号鍵を送信する送信器１６２と、情報を受信する受信器１６１とを含んで構成されている。
【００２０】
配布情報データベース１７には、マルチメディア情報が記述された少なくとも一つ以上の全体情報１７０が蓄積されている。図５のブロック図に全体情報の一例を示す。全体情報１７０は詳細度に関して複数の階層に階層化されて蓄積されている。概要情報１７１は全体情報１７０の内容の概略を記述したもので、最上位の階層に存在する。該最上位の階層の一段階下位の、第二の階層には、少なくとも一つ以上の詳細差分情報１７３が存在する。詳細差分情報１７３は概要情報１７１と組み合わせることにより、全体情報１７０の内容に関して、概要情報１７１より詳細な情報を合成する。さらに第三の階層にも、詳細差分情報１７３が存在することも可能である。該第三の階層の詳細差分情報１７３は、これと関連する第二の階層の詳細差分情報１７３と、概要情報１７１と組み合わせることにより、全体情報１７０の内容に関して、概要情報１７１と第二の階層の詳細差分情報１７３とを組み合わせて合成される情報よりも詳細な情報を合成する。これらの階層の深さは必要に応じて、それぞれのマルチメディア情報ごとに異なる。以上のように概要情報と少なくとも一つ以上の詳細差分情報から、一つの全体情報１７０  が構成されている。
【００２１】
本実施例における全体情報１７０の一実施例として、映画情報を全体情報１７０とした場合について説明する。概要情報として動画像情報、第二の階層の詳細差分情報として音情報、第三の階層の第一の詳細差分情報として第一の言語の字幕、第三の階層の第二の詳細差分情報として第二の言語の字幕とする。第三の階層の詳細差分情報を必要な言語の数だけ用意し、各言語の字幕とする。
【００２２】
また、字幕を第二の階層の詳細差分情報とすることも可能である。次に、以上のように構成された情報配布システムの動作について説明する。情報提供者１６は、情報端末装置１４から要求された全体情報１７０を配布情報データベース１７から取り出し、暗号化装置１６３は概要情報１７１とそれぞれの詳細差分情報１７３に対して異なる暗号化鍵を用いて暗号化する。さらに下の階層の詳細差分情報も存在する場合には、その階層のそれぞれの詳細差分情報に対しても、異なる暗号化鍵を用いて暗号化する。このようにして得られた暗号化全体情報と、情報端末装置１４のユーザが要求する情報を復号化するための復号鍵とを、送信器１６２は通信網１５を通して情報端末装置１４へ送信する。ここで情報提供者は、該暗号化全体情報１７０を、記憶媒体に記録して情報端末装置に提供することも可能である。
【００２３】
情報提供者１６が送信した暗号化全体情報を受信器１４１により受信した情報端末装置１４は、受信した復号鍵を用いて、復号化装置１４３により、情報提供者に要求した情報を復号化し、出力装置１４４はその情報を出力する。もし、情報端末装置１４のユーザが、より詳細な情報を要求する場合は、その要求を送信器１４２により情報提供者１６に送信する。受信器１６１により要求を受信した情報提供者１６は、該ユーザが要求する情報を合成するために必要な階層の詳細差分情報を復号化するための復号鍵を、送信器１６２により送信する。
【００２４】
情報端末装置１４は、該復号鍵を受信器１４１により受信し、復号化装置１４３により、必要な詳細差分情報１７３の復号化を行ない、出力装置１４４は、該詳細差分情報の階層より上の階層の詳細差分情報１７３と概要情報１７１とを合成して出力する。もし、情報端末装置１４のユーザがさらに詳細な情報を要求する際は、同様の手順により、ユーザは要求するマルチメディア情報を得ることが可能である。
【００２５】
以上の動作により、情報端末装置１４のユーザは、要求する必要十分な詳細度のマルチメディア情報を得ることが可能である。また、情報提供者１６は、要求された詳細度のマルチメディア情報を復号するための復号鍵に対して課金をすることにより、必要十分な課金を行なうことが可能である。
【００２６】
次に第二の発明の実施例に係わる情報配布システムの構成を図２に示すブロック図を用いて説明する。本実施例の情報配布システムは、上記第一の発明の実施例に係わる情報配布システムにおいて、情報提供者１６は、階層符号化され少なくとも一つ以上の階層の画像情報により記述された全体情報１７０を、少なくとも一つ以上蓄積してある配布情報データベース１７と、画像情報を暗号鍵により暗号化する暗号化装置１６３と、画像情報及び復号鍵を送信する送信器１６２と、情報を受信する受信器１６１とを含んで構成されている。配布情報データベース１７に蓄積されている全体情報１７０において、図１のブロック図に示すように、再上位の階層は最低解像度画像を合成するための最低解像度画像情報１９０が記述されている。この一つ下の階層は、最低解像度画像とこれより一段階高解像度の画像との差分情報である一次差分画像情報１９１が記述されている。また、さらにこの一つ下の階層は、最低解像度画像情報１９０と一次差分画像情報１９１とにより合成される画像と、これより一段階高解像度の画像との差分情報である二次差分画像情報１９２が記述されている。このように、全体情報１７０の各階層の画像情報は、ある解像度の画像を合成するための情報と、これより一段階高解像度の画像を合成するための情報との差分情報が記述されており、階層の深さは、必要に応じて変えることができる。以上のようにして、全体情報１７０は、最低解像度画像情報１９０と、一次差分画像情報１９１に始まる少なくとも一つ以上の差分画像情報とを含んで構成されている。
【００２７】
次に、以上のように構成された情報配布システムの動作について説明する。情報提供者１６は、情報端末装置１４から要求のあった全体情報１７０を配布情報データベース１７から取り出し、暗号化装置１６３は最低解像度画像情報１９０と一次差分画像情報１９１に始まるそれぞれの階層の差分画像情報に対して、異なる暗号化鍵を用いて暗号化し、送信器１６２は暗号化された全体情報１７０と、最低解像度画像情報１９０を復号化するための復号鍵とを通信網１５を通して情報端末装置１４へ送信する。ここで情報提供者は、暗号化された全体情報１７０を、記憶媒体に記録して情報端末装置に提供することも可能である。
【００２８】
情報提供者１６が送信した情報を受信器１４１により受信した情報端末装置１４は、受信した復号鍵を用いて、復号化装置１４３により最低解像度画像情報１９０を復号し、出力装置１４４はその画像を表示する。もし、情報端末装置１４のユーザがより高解像度の画像を要求する場合は、その要求を送信器１４２により情報提供者１６に送信する。受信器１６１により要求を受信した情報提供者１６は、一次差分画像情報１９１を復号化するための復号鍵を、送信器１６２により送信する。情報端末装置１４は、この復号鍵を受信器１４１により受信し、復号化装置１４３により一次差分画像情報１９１の復号化を行ない、出力装置１４４は最低解像度画像情報１９０と一次差分画像情報１９１とから一段階高解像度の画像を表示する。もし、情報端末装置１４のユーザがさらに高解像度の画像を要求する際は、同様の手順により、ユーザは要求する画像を得ることが可能である。
【００２９】
以上の動作により、情報端末装置１４のユーザは、要求する必要十分な解像度の画像を得ることが可能である。また、情報提供者１６は、要求された解像度の画像を復号するための復号鍵に対して課金をすることにより、必要十分な課金を行なうことが可能である。
【００３０】
次に、上記第二の発明の実施例の情報提供者１６の暗号化装置１６３及び情報端末装置１４の復号化装置１４３の実施例について述べる。図６は該暗号化装置の暗号化処理の流れ図である。また、図３は本実施例に係わる全体情報の構成を示すブロック図である。該暗号化装置１６３は処理ステップ２３１において、最低解像度画像情報１９０を暗号化する。処理ステップ２３２において、一次差分画像情報１９１の一部に、最低解像度画像の復号鍵Ｋ０  を記述し、処理ステップ２３３において、該一次差分画像情報１９１を暗号化する。処理ステップ２３５において二次差分画像情報が存在しなければ暗号化処理は終了となり、存在すれば処理ステップ２３２へ戻る。処理ステップ２３２では、一次差分画像情報１９１の復号鍵Ｋ１  を二次差分画像情報１９２の一部に記述し、処理ステップ２３３において、暗号化を行なう。以上の処理を差分画像情報が存在しなくなるまで実行する。これにより、情報提供者は図３のブロック図に示すような全体情報を暗号化して送信することになる。
【００３１】
また、該全体情報を復号するための、情報端末装置１４の復号化装置１４３における復号処理の一例を示す流れ図を図７に示す。処理ステップ２４０において、情報端末装置１４は、受信者が要求する解像度の画像を復号化するために必要な階層の番号Ｎを情報提供者に送信し、処理ステップ２４１において、全体情報１７０の中のＮ番目の階層のＮ次差分画像情報を復号するための復号鍵ＫＮ  を受信する。処理ステップ２４２において、該復号鍵ＫＮ  を用いてＮ次差分画像情報を復号する。この際に、一つ上の階層のＮ−１次差分画像情報の復号鍵を得られるので、該復号鍵により該Ｎ−１次差分画像情報を復号する。以上のような復号を最低解像度画像情報まで行なう。
【００３２】
各階層の画像情報ごとに独立に復号鍵があり、受信者が各階層の画像情報ごとに復号鍵を情報提供者から受信する方法と比較して、本実施例では受信者がある階層の差分画像情報の復号鍵を得ると、その階層より上の差分画像情報及び最低解像度画像情報を復号する際には、新たな復号鍵を情報提供者から受信する必要がなく、復号鍵の通信コストが少なくて済む。また、復号鍵の通信の回数が少ないことから、通信回線で復号鍵が盗まれる危険性が少ないという効果がある。
【００３３】
【発明の効果】
以上説明したように、本発明の情報配布システムにより、受信者が、要求する必要十分の情報を得ることと、情報提供者が、その必要十分な情報に対して、適正に課金することが可能であるという効果がある。また、受信者が一度受信した全体情報に関して、後により詳細な情報を得ようとした時、情報提供者からそのための復号鍵のみを受信すれば良く、情報そのものを再度受信する必要がない。さらに、第一の情報端末装置が、情報提供者から直接提供された暗号化全体情報を、別の第二の情報端末装置に提供した際、第一の情報端末装置のユーザと第二の情報端末装置のユーザの必要とする情報の詳細度が異なる場合でも、情報端末装置同士で復号鍵の授受ができなければ、情報提供者は、両者のユーザに対して、必要十分な情報の提供及び課金を行なうことが可能であるという効果がある。
【図面の簡単な説明】
【図１】第二の発明の実施例に係わる情報配布システムにおける、全体情報の構成を示すブロック図である。
【図２】第一の発明と第二の発明の実施例に係わる情報配布システムの構成を示すブロック図である。
【図３】第二の発明の実施例に係わる情報配布システムにおける、全体情報の構成を示すブロック図である。
【図４】第一の発明の実施例に係わる情報配布システムにおける、全体情報の構成を示すブロック図である。
【図５】第一の発明の実施例に係わる情報配布システムにおける、全体情報の構成を示すブロック図である。
【図６】第二の発明の実施例に係わる情報配布システムにおける、情報提供者の暗号化装置の暗号化処理を示す流れ図である。
【図７】第二の発明の実施例に係わる情報配布システムにおける、情報端末装置の復号化装置の復号処理を示す流れ図である。
【図８】従来の情報配布システムの一つである有料衛星放送の構成を示すブロック図である。
【符号の説明】
１４            情報端末装置
１５            通信網
１６            情報提供者
１７          配布情報データベース
１４１  、１６１    受信器
１４２  、１６２    送信器
１４３        復号化装置
１４４        出力装置
１６３        暗号化装置
１７０        全体情報
１７１        概要情報
１７３        詳細差分情報
１９０          最低解像度画像情報
１９１        一次差分画像情報
１９２        二次差分画像情報
【図１】
0003617674.tif 000002
【図２】
0003617674.tif 000003
【図３】
0003617674.tif 000004
【図４】
0003617674.tif 000005
【図５】
0003617674.tif 000006
【図６】
0003617674.tif 000007
【図７】
0003617674.tif 000008
【図８】
0003617674.tif 000009